(57)【要約】  無線基地局（２−１）が無線基地局（２−１）に接続する無線端末（４）を無線基地局（２−１）に隣接する隣接無線基地局（２−２）へハンドオーバさせる条件である隣接無線基地局向けハンドオーバ条件と、隣接無線基地局（２−２）が隣接無線基地局（２−２）に接続する無線端末（４）を無線基地局（２−１）と隣接無線基地局（２−２）とに隣接する他隣接無線基地局（２−３）にハンドオーバさせる条件である隣接無線基地局間ハンドオーバ条件とを記憶し、無線基地局（２−１）に接続する無線端末（４）を隣接無線基地局（２−２）へハンドオーバさせることを隣接無線基地局向けハンドオーバ条件に基づいて決定したときに、隣接無線基地局（２−２）が無線端末（４）を他隣接無線基地局（２−３）へハンドオーバさせると隣接無線基地局間ハンドオーバ条件に基づいて判定した場合に、無線端末（４）を他隣接無線基地局（２−３）へハンドオーバさせる。
2012127600.tif 000002
【特許請求の範囲】
【請求項１】
無線基地局であって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する記憶部と、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる制御部とをそなえる、
ことを特徴とする、無線基地局。
【請求項２】
前記ハンドオーバさせる条件は、無線端末がハンドオーバ元の無線基地局から受信した無線信号の受信品質に関する情報と無線端末がハンドオーバ先の無線基地局から受信した無線信号の受信品質に関する情報との比較における重みを含む、
ことを特徴とする、請求項１記載の無線基地局。
【請求項３】
前記制御部は、該接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせないと前記隣接無線基地局間ハンドオーバ条件に基づいて判定した場合に、該接続無線端末を前記隣接無線基地局へハンドオーバさせる、
ことを特徴とする、請求項１または２に記載の無線基地局。
【請求項４】
前記接続無線端末が前記無線基地局，前記隣接無線基地局及び前記他隣接無線基地局のそれぞれから受信した無線信号の受信品質に関する情報を該接続無線端末から受信する受信部をさらにそなえ、
前記制御部は、受信した前記受信品質に関する情報に基づき、前記接続無線端末を前記隣接無線基地局へハンドオーバさせることを決定するとともに、該隣接無線基地局が該接続無線端末を前記他隣接無線基地局へハンドオーバさせることを判定する、
ことを特徴とする、請求項１〜３のいずれか１項に記載の無線基地局。
【請求項５】
前記受信部は、前記隣接無線基地局間ハンドオーバ条件あるいは前記隣接無線基地局向けハンドオーバ条件が変更されたタイミングで、前記受信品質に関する情報を受信する、
ことを特徴とする、請求項４記載の無線基地局。
【請求項６】
前記隣接無線基地局向けハンドオーバ条件を前記他隣接無線基地局に送信する送信部をさらにそなえる、
ことを特徴とする、請求項１〜５のいずれか１項に記載の無線基地局。
【請求項７】
無線基地局であって、
前記無線基地局が該無線基地局に接続する無線端末を該無線基地局に隣接する隣接無線基地局へハンドオーバさせる条件である隣接無線基地局向けハンドオーバ条件を記憶する記憶部と、
前記隣接無線基地局向けハンドオーバ条件を前記無線基地局と該隣接無線基地局とに隣接する他隣接無線基地局に送信する送信部をそなえる、
ことを特徴とする、無線基地局。
【請求項８】
少なくとも無線基地局を有する無線通信システムであって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する記憶部と、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる制御部とをそなえる、
ことを特徴とする、無線通信システム。
【請求項９】
前記ハンドオーバさせる条件は、無線端末がハンドオーバ元の無線基地局から受信した無線信号の受信品質に関する情報と無線端末がハンドオーバ先の無線基地局から受信した無線信号の受信品質に関する情報との比較における重みを含む、
ことを特徴とする、請求項８記載の無線通信システム。
【請求項１０】
前記制御部は、該接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせないと前記隣接無線基地局間ハンドオーバ条件に基づいて判定した場合に、該接続無線端末を前記隣接無線基地局へハンドオーバさせる、
ことを特徴とする、請求項８または９に記載の無線通信システム。
【請求項１１】
前記接続無線端末が前記無線基地局，前記隣接無線基地局及び前記他隣接無線基地局のそれぞれから受信した無線信号の受信品質に関する情報を該接続無線端末から受信する受信部をさらにそなえ、
前記制御部は、受信した前記受信品質に関する情報に基づき、前記接続無線端末を前記隣接無線基地局へハンドオーバさせることを決定するとともに、該隣接無線基地局が該接続無線端末を前記他隣接無線基地局へハンドオーバさせることを判定する、
ことを特徴とする、請求項８〜１０のいずれか１項に記載の無線通信システム。
【請求項１２】
前記受信部は、前記隣接無線基地局間ハンドオーバ条件あるいは前記隣接無線基地局向けハンドオーバ条件が変更されたタイミングで、前記受信品質に関する情報を受信する、
ことを特徴とする、請求項１１記載の無線通信システム。
【請求項１３】
前記隣接無線基地局向けハンドオーバ条件を前記他隣接無線基地局に送信する送信部をさらにそなえる、
ことを特徴とする、請求項８〜１２のいずれか１項に記載の無線通信システム。
【請求項１４】
少なくとも無線基地局を有する無線通信システムであって、
前記無線基地局が該無線基地局に接続する無線端末を該無線基地局に隣接する隣接無線基地局へハンドオーバさせる条件である隣接無線基地局向けハンドオーバ条件を記憶する記憶部と、
前記隣接無線基地局向けハンドオーバ条件を前記無線基地局と該隣接無線基地局とに隣接する他隣接無線基地局に送信する送信部をそなえる、
ことを特徴とする、無線通信システム。
【請求項１５】
少なくとも無線基地局を有する無線通信システムの通信制御方法であって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶し、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる、
ことを特徴とする、通信制御方法。
【請求項１６】
少なくとも無線基地局を有する無線通信システムの通信制御方法であって、
前記無線基地局が該無線基地局に接続する無線端末を該無線基地局に隣接する隣接無線基地局へハンドオーバさせる条件である隣接無線基地局向けハンドオーバ条件を記憶し、
前記隣接無線基地局向けハンドオーバ条件を前記無線基地局と該隣接無線基地局とに隣接する他隣接無線基地局に送信する、
ことを特徴とする、通信制御方法。
【請求項１７】
無線端末であって、
前記無線端末が接続する無線基地局と無線通信を行なう無線通信部と、
前記無線端末が接続する無線基地局が該無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する該無線基地局が、前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合、該他隣接無線基地局へハンドオーバする制御部とをそなえる、
ことを特徴とする、無線端末。
【発明の詳細な説明】
【技術分野】
【０００１】
本発明は、無線基地局、無線通信システム、通信制御方法及び無線端末に関する。
【背景技術】
【０００２】
現在、３ＧＰＰ（3rd Generation Partnership Project）において標準化されたＬＴＥ（Long Term Evolution）のサービスが世界で展開されつつある。ＬＴＥなどで提案されている無線通信システムは、図１に例示するように、複数の無線基地局２００−１，２００−２と、少なくとも１つの無線端末４００とをそなえる。
無線通信システム１００では、無線端末４００が、無線基地局２００−１によって提供される無線エリア３００−１から、無線基地局２００−１に隣接する無線基地局２００−２によって提供される無線エリア３００−２へ移動する際、ハンドオーバが実施される。なお、無線エリア３００−１，３００−２は、例えば、無線基地局２００−１，２００−２によって提供されるセルやセクタなどを含む概念であるが、以下では説明の便宜上、単にセルということがある。【０００３】
このとき、無線端末４００は、無線基地局２００−１からの受信電力あるいは受信品質、並びに、無線基地局２００−２からの受信電力あるいは受信品質に基づく測定通知（Measurement Report）をハンドオーバ元の無線基地局２００−１に送信する。
無線基地局２００−１は、例えば、無線端末４００から上記のMeasurement Reportを受信したことを契機として、ハンドオーバ処理を開始することができる。【０００４】
具体的には例えば、無線基地局２００−１は、無線端末４００から上記のMeasurement Reportを受信した後、ハンドオーバ処理のシーケンスを開始し、Measurement Reportに含まれる各種の情報に基づいて、ハンドオーバ先のセルを決定する。なお、図１に示す例では、サービングセルとしてのセル３００−１から、セル３００−１に隣接するセル（隣接セル）３００−２へのハンドオーバが決定される。即ち、図１に示す例では、隣接セル３００−２がハンドオーバのターゲットセルとして決定される。【０００５】
そして、無線基地局２００−１は、ターゲットセル３００−２やハンドオーバ先の無線基地局２００−２に関する情報などを含む、ハンドオーバ指示に関するメッセージを無線端末４００に対して送信する。
無線基地局２００−１から上記メッセージを受信した無線端末４００は、セル３００−１から、隣接セル３００−２へサービングセルを変更する。【０００６】
ところで、無線端末４００がセル３００−１や隣接セル３００−２についての測定（Measurement）を行なう条件や、上記のMeasurement Reportを行なう条件については、無線基地局２００−１，２００−２から無線端末４００に対して予め設定（通知）される。
例えば、無線端末４００は、セル３００−１の受信電力または受信品質や、隣接セル３００−２の受信電力または受信品質を定期あるいは不定期に測定する。そして、当該測定の結果がMeasurement Reportを行なう条件を満たす場合、無線端末４００は、セル３００−１を提供する無線基地局２００−１へMeasurement Reportを送信する。なお、当該Measurement Reportには、例えば、Measurement Reportを行なう条件を満たした隣接セル３００−２に関する情報が含まれる。【０００７】
ここで、ＬＴＥなどで提案されている、Measurement Reportの送信（通知）条件の１つであるEvent A3の条件式（１）を示す。【０００８】
【数１】
2012127600.tif 000003
【０００９】
ただし、上記条件式（１）において、Mnは隣接セル３００−２の受信電力［ｄＢｍ］または受信品質［ｄＢ］であり、Msはサービングセル３００−１の受信電力［ｄＢｍ］または受信品質［ｄＢ］である。また、HOmarginはMnとMsとの間のマージン値［ｄＢ］である。
図２に、無線端末４００がMeasurement Reportを無線基地局２００−１に送信する例を示す。なお、図２中の縦軸は受信電力または受信品質を表し、横軸は各無線基地局２００−１，２００−２と無線端末４００との位置関係（距離）を表す。【００１０】
この図２に示すように、無線端末４００は、例えば、隣接セル３００−２の受信電力あるいは受信品質（Mn）と、サービングセル３００−１の受信電力あるいは受信品質（Ms）とをそれぞれ測定し、MnとMsとを比較する。そして、MnとMsとの差が所定のHOmarginよりも大きいと判断された場合、無線端末４００は、セル３００−１を提供する無線基地局２００−１にMeasurement Reportを送信する。なお、上記条件式（１）中のHOmarginの値は、例えば、隣接セル３００−２毎に設定されてもよい。即ち、サービングセル３００−１に隣接するセル３００−２が複数存在する場合は、各隣接セル３００−２に対して、異なるHOmarginの値がそれぞれ設定され得る。【００１１】
なお、ハンドオーバ処理に関する技術として、移動局が、設定された閾値を越えるレベルの基準信号を他の無線基地局から受信した際、無線回線の品質に応じて、閾値を変動させてハンドオフ処理を実行する方法が知られている（下記特許文献１参照）。
また、携帯電話器の移動軌跡の延長方向上で電波強度が最大となる基地局を選択することにより、最も電波の強い基地局ではなく、電波がこれから強くなりそうな基地局を選択する方法が知られている（下記特許文献２参照）。【００１２】
さらに、移動局の進行方向を考慮してハンドオフを行なう移動通信システムが知られている（下記特許文献３参照）。
また、移動局がある周波数帯で通信中、周辺基地局からの受信電界レベルを別の周波数帯で測定し、通信中の基地局からの受信電界レベルについて周波数帯の差異による補正を行なうことで、正確なゾーン判定を行なう方法が知られている（下記特許文献４参照）。【００１３】
また、３ＧＰＰでは、ＬＴＥ向けに、各種無線パラメータを自動的に設定し、最適化を行なうことで、オペレータ（管理者）の管理作業の効率化を図るＳＯＮ（Self-Organizing Networks）の検討が進められている（下記非特許文献１参照）。
このＳＯＮの使用例（use case）の中には、前述の測定通知の送信条件のパラメータを隣接セル間で調整し、各基地局間におけるＣＰＵ使用率や無線リソース使用率などの負荷を均一化するＭＬＢ（Mobility Load Balancing）が考えられている。
【先行技術文献】
【特許文献】
【００１４】
【特許文献１】特開２００１−７８２４２号公報
【特許文献２】特開２００７−３１８３６１号公報
【特許文献３】特表２００２−５０３４３５号公報
【特許文献４】特開平６−３５０５１５号公報
【非特許文献】
【００１５】
【非特許文献１】3GPP TR 36.902 V9.2.0
【発明の概要】
【発明が解決しようとする課題】
【００１６】
ＭＬＢを用いた無線通信システムでは、サービングセル３００−１を提供する無線基地局２００−１の負荷が所定の閾値よりも高い場合、無線端末４００からサービングセル３００−１を提供する無線基地局２００−１へのMeasurement Reportの送信（通知）条件を変更できる。
例えば、隣接セル３００−２を提供する無線基地局２００−２の負荷が所定の閾値よりも低い場合、セル３００−１からセル３００−２へハンドオーバする際のハンドオーバ条件に含まれるHOmarginの値を小さくするように変更（更新）してもよい。【００１７】
この場合、図３に示すように、HOmargin変更後にMeasurement Reportが送信されるタイミングでの無線端末４００の位置は、HOmargin変更前にMeasurement Reportが送信されるタイミングでの無線端末４００の位置よりも無線基地局２００−１側に近くなる。
図３に示す例においても、図２の例と同様に、無線端末４００からMeasurement Reportを受信した無線基地局２００−１は、当該Measurement Reportの受信を契機として、隣接セル３００−２をターゲットセルとして、ハンドオーバ処理を開始する。【００１８】
つまり、HOmargin値を小さくした場合、無線端末４００のサービングセル３００−１からセル３００−２へのハンドオーバの開始位置を、HOmargin変更前における無線端末４００のサービングセル３００−１からセル３００−２へのハンドオーバの開始位置よりもサービングセル３００−１を提供する無線基地局２００−１側にシフトすることになる。
これにより、無線基地局２００−１と無線基地局２００−２との間に位置する無線端末４００のハンドオーバタイミングを早めることができるので、セル３００−１を提供する無線基地局２００−１の負荷を低減することが可能となる。【００１９】
一方、ＭＬＢでは、セル３００−２をサービングセルとしたときに、セル３００−２を提供する無線基地局２００−２に隣接する無線基地局２００−１が提供するセル３００−１に対するHOmarginを大きくするように変更（更新）する。
これにより、無線端末４００のサービングセル３００−２からセル３００−１へのハンドオーバの開始位置を、HOmargin変更前における無線端末４００のサービングセル３００−２からセル３００−１へのハンドオーバの開始位置よりも無線基地局２００−１側にシフトできる。その結果、無線端末４００のサービングセル３００−２からセル３００−１へのハンドオーバタイミングを遅らせることができるので、セル３００−１を提供する無線基地局２００−１の負荷をさらに低減することが可能となる。【００２０】
ここで、図４に例示するように、互いに隣接する複数のセルを有する無線通信システムを考える。この図４に示す無線通信システム１０１は、例示的に、複数の無線基地局２００−１，２００−２，２００−３と、少なくとも１つの無線端末４００とをそなえる。無線基地局２００−１は、セル３００−１（以下、単にセルＡともいう）を提供し、無線基地局２００−２は、セル３００−２（以下、単にセルＢともいう）を提供し、無線基地局２００−３は、セル３００−３（以下、単にセルＣともいう）を提供する。そして、セルＡ，セルＢ及びセルＣは、前述したように、互いに隣接している。【００２１】
このような無線通信システム１０１において、セルＢを提供する無線基地局２００−２の負荷が所定の閾値よりも大きいと、セルＢに接続する無線端末４００が、セルＢからセルＣやセルＢからセルＡへハンドオーバされやすいようにHOmargin値を変更され得る。
このとき、セルＢから見たセルＣの環境とセルＡの環境とが異なることがある。例えば、セルＣを提供する無線基地局２００−３の負荷とセルＡを提供する無線基地局２００−１の負荷とが異なる場合などである。【００２２】
このような場合、セルＢからセルＣへのハンドオーバの契機となるMeasurement Reportの送信条件に用いられるHOmargin値と、セルＢからセルＡへのハンドオーバの契機となるMeasurement Reportの送信条件に用いられるHOmargin値とを異なる値に設定することがある。
例えば、無線基地局２００−３の負荷が無線基地局２００−１の負荷よりも低い場合、無線基地局２００−３に対して、より多くの負荷を移行させるべく、セルＢからセルＣへのハンドオーバの契機となるMeasurement Reportの送信条件に用いられるHOmargin値を、セルＢからセルＡへのハンドオーバの契機となるMeasurement Reportの送信条件に用いられるHOmargin値よりも小さくすることができる。【００２３】
このように、図４に例示する無線通信システム１０１のように、互いに隣接するセルＡ，セルＢ及びセルＣにおいて、各HOmargin値に偏り（ばらつき）が生じることがある。
例えば図４に示す例において、セルＢを提供する無線基地局２００−２の負荷が所定の閾値よりも高く、セルＢからセルＣへのハンドオーバの契機となるMeasurement Reportの送信条件に用いられるHOmargin値を変更前後でＸ［ｄＢ］小さくした場合を考える。なお、説明を簡単にするため、図４に示す例では、セルＢからセルＡへのハンドオーバの契機となるMeasurement Reportの送信条件に用いられるHOmargin値の変更（更新）は行なわないこととする。【００２４】
このとき、セルＢとセルＣとの間に位置し、セルＢを提供する無線基地局２００−１に接続中の無線端末（図示省略）は、セルＣへのハンドオーバを積極的に行なうこととなる。
一方、セルＢとセルＡとの間に位置し、セルＡを提供する無線基地局２００−３に接続中の無線端末４００は、セルＡからセルＢへのハンドオーバの契機となるMeasurement Reportの送信条件を満たすと、無線基地局２００−１へMeasurement Reportを送信する。【００２５】
無線端末４００からMeasurement Reportを受信した無線基地局２００−１は、セルＢをターゲットセルとして、セルＡからセルＢへのハンドオーバ処理を開始する。無線基地局２００−１からハンドオーバ指示のメッセージを受信した無線端末４００は、セルＡからセルＢへハンドオーバを実施し、無線基地局２００−２へ接続する。
しかしながら、上述のように、セルＢを提供する無線基地局２００−２の負荷が所定の閾値よりも高い場合、セルＢからセルＣへのハンドオーバが促進されるように、セルＢからセルＣへのハンドオーバの契機となるMeasurement Reportの送信条件に用いられるHOmargin値が変更される。【００２６】
その結果、セルＡからセルＢへハンドオーバした無線端末４００は、セルＡからセルＢへのハンドオーバ直後に、セルＢからセルＣへのハンドオーバの契機となるMeasurement Reportの送信条件を満たし、セルＡからセルＢへのハンドオーバに連続してセルＢからセルＣへハンドオーバされる可能性がある。
以上のように、互いに隣接するセルＡ〜ＣにおけるHOmargin値にばらつきがある場合、無線端末４００は、例えば、セルＡからセルＢへハンドオーバした直後に、連続して、セルＢからセルＣへハンドオーバすることがある。その結果、無線通信システム１０１におけるハンドオーバ処理に関する負荷が増大する。【００２７】
また、ハンドオーバ処理による瞬断が発生しやすくなり、通信に悪影響を与えることがある。
そこで、本発明は、ハンドオーバの発生を抑制し、無線通信システムの負荷を低減することを目的の１つとする。
また、ハンドオーバの発生を抑制し、瞬断の発生を低減することも他の目的の１つである。【００２８】
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【００２９】
（１）第１の案として、無線基地局であって、前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する記憶部と、前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる制御部とをそなえる、無線基地局を用いることができる。【００３０】
（２）また、第２の案として、無線基地局であって、前記無線基地局が該無線基地局に接続する無線端末を該無線基地局に隣接する隣接無線基地局へハンドオーバさせる条件である隣接無線基地局向けハンドオーバ条件を記憶する記憶部と、前記隣接無線基地局向けハンドオーバ条件を前記無線基地局と該隣接無線基地局とに隣接する他隣接無線基地局に送信する送信部をそなえる、無線基地局を用いることができる。【００３１】
（３）さらに、第３の案として、少なくとも無線基地局を有する無線通信システムであって、前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する記憶部と、前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる制御部とをそなえる、無線通信システムを用いることができる。【００３２】
（４）また、第４の案として、少なくとも無線基地局を有する無線通信システムであって、前記無線基地局が該無線基地局に接続する無線端末を該無線基地局に隣接する隣接無線基地局へハンドオーバさせる条件である隣接無線基地局向けハンドオーバ条件を記憶する記憶部と、前記隣接無線基地局向けハンドオーバ条件を前記無線基地局と該隣接無線基地局とに隣接する他隣接無線基地局に送信する送信部をそなえる、無線通信システムを用いることができる。【００３３】
（５）さらに、第５の案として、少なくとも無線基地局を有する無線通信システムの通信制御方法であって、前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶し、前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる、通信制御方法を用いることができる。【００３４】
（６）また、第６の案として、少なくとも無線基地局を有する無線通信システムの通信制御方法であって、前記無線基地局が該無線基地局に接続する無線端末を該無線基地局に隣接する隣接無線基地局へハンドオーバさせる条件である隣接無線基地局向けハンドオーバ条件を記憶し、前記隣接無線基地局向けハンドオーバ条件を前記無線基地局と該隣接無線基地局とに隣接する他隣接無線基地局に送信する、通信制御方法を用いることができる。【００３５】
（７）さらに、第７の案として、無線端末であって、前記無線端末が接続する無線基地局と無線通信を行なう無線通信部と、前記無線端末が接続する無線基地局が該無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する該無線基地局が、前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合、該他隣接無線基地局へハンドオーバする制御部とをそなえる、無線端末を用いることができる。
【発明の効果】
【００３６】
ハンドオーバの発生を抑制し、無線通信システムの負荷を低減することが可能となる。
また、ハンドオーバの発生を抑制し、瞬断の発生を低減することが可能となる。
【図面の簡単な説明】
【００３７】
【図１】ハンドオーバを実施する無線通信システムの一例を示す図である。
【図２】Measurement Reportの送信（通知）条件について説明する図である。
【図３】ＭＬＢによってHOmarginが変更された場合のMeasurement Reportの送信（通知）条件について説明する図である。
【図４】互いに隣接する複数のセルを有する無線通信システムの一例を示す図である。
【図５】本発明の一実施形態に係る無線通信システムの一例を示す図である。
【図６】図５に示す無線端末の構成の一例を示す図である。
【図７】図５に示す無線基地局の構成の一例を示す図である。
【図８】RRC Connection Reconfigurationメッセージの送信例を示す図である。
【図９】Measurement Report Configurationメッセージの内容の一例を示す図である。
【図１０】MeasObjectMod，ReportConfigMod，MeasIDModの関係の一例を示す図である。
【図１１】Measurement Report Configurationメッセージの一例を示す図である。
【図１２】Measurement Reportを送信する際の処理フローの一例を示す図である。
【図１３】Measurement Reportの内容の一例を示す図である。
【図１４】ハンドオーバ処理のシーケンスの一例を示す図である。
【図１５】ターゲットセルの決定に用いられるテーブルの一例を示す図である。
【図１６】無線基地局間で送受信される制御メッセージの一例を示す図である。
【図１７】Mobility Change Requestメッセージの内容の一例を示す図である。
【図１８】Mobility Change Requestメッセージの送信順を決定する処理フローの一例を示す図である。
【図１９】ハンドオーバ先を決定する際の制御フローの一例を示す図である。
【図２０】無線端末のハードウェア構成の一例を示す図である。
【図２１】無線基地局のハードウェア構成の一例を示す図である。
【発明を実施するための形態】
【００３８】
以下、図面を参照して本発明の実施の形態を説明する。ただし、以下に示す実施の形態は、あくまでも例示に過ぎず、以下に示す実施形態で明示しない種々の変形や技術の適用を排除する意図はない。即ち、実施形態を、本発明の趣旨を逸脱しない範囲で種々変形して実施できることはいうまでもない。
〔１〕一実施形態の説明
（１．１）無線通信システムの構成例
図５は一実施形態に係る無線通信システムの構成の一例を示す図である。この図５に示す無線通信システム１は、例示的に、複数の無線基地局２−１，２−２，２−３と、少なくとも１つの無線端末４とをそなえる。なお、以下では、無線基地局２−１，２−２，２−３を区別しない場合、単に無線基地局２と表記する。また、無線基地局２−１，２−２，２−３及び無線端末４の数は、図５に例示する数にそれぞれ限定されない。
【００３９】
ここで、無線基地局２−１，２−２，２−３は、互いに隣接する第１の無線エリア３−１，第２の無線エリア３−２，第３の無線エリア３−３をそれぞれ提供する。なお、各無線エリア３−１，３−２，３−３は、セルやセクタなどを含む概念であるが、以下では説明の便宜上、単にセルということがある。また、以下では、無線エリア３−１，３−２，３−３を、セルＡ，セルＢ，セルＣとそれぞれ表記することがある。
【００４０】
図５に示す例では、無線基地局２−１，２−２，２−３が、セルＡ，セルＢ，セルＣをそれぞれ構成しているが、例えば、少なくとも１つの無線基地局２が複数のセルを構成していてもよい。また、各セルＡ〜Ｃにおいて、同一の無線周波数が用いられてもよいし、互いに異なる無線周波数が用いられてもよい。例えば、セルＢで使用される無線周波数とセルＡで使用される無線周波数とが同一であり、且つ、セルＢで使用される無線周波数とセルＣで使用される無線周波数とが異なる場合、同一の無線周波数を使用しているセル間でハンドオーバを行なうよりも、異なる無線周波数を使用しているセル間でハンドオーバを行なう方が無線品質を改善できる可能性がある。このような場合、セルＢからセルＣへのハンドオーバが、セルＢからセルＡへのハンドオーバよりも行なわれやすくすることが考えられる。
【００４１】
無線基地局２は、自局２が構成するセル内に位置する無線端末４と無線通信を行なう。
また、無線端末４は、各セルＡ〜Ｃ間を移動することができ、例えば、ある無線基地局２が構成するセルから、他の無線基地局２が構成するセルへ無線端末４が移動する際、無線端末４はサービングセルを切り替えるハンドオーバ処理を実施する。
本例では、無線通信システム１において、例えば、無線基地局２−１が、自局２−１と接続している無線端末４がセルＡからセルＢへハンドオーバするための第１のハンドオーバ条件と、セルＢからセルＣへハンドオーバするための第２のハンドオーバ条件とを共に満たす場合に、無線端末４をセルＡからセルＣへハンドオーバさせる。
【００４２】
これにより、セルＡからセルＢへのハンドオーバを省略することができるので、ハンドオーバの発生を抑制し、無線通信システム１の負荷を低減することが可能となる。また、ハンドオーバに起因する瞬断の発生を低減することも可能となる。
なお、以下では無線基地局２−１が上記のハンドオーバ制御を行なう例を用いて本実施形態を説明するが、もちろん、他の無線基地局２−２，２−３においても同様のハンドオーバ制御を行なうことができることはいうまでもない。
【００４３】
（１．２）無線端末４の構成例
図６は無線端末４の構成の一例を示す図である。
この図６に示す無線端末４は、例示的に、アンテナ４１と、デュプレクサ４２と、受信部４３と、測定部４４と、データ処理部４５と、制御部４６と、データ生成部４７と、送信部４８とをそなえる。
【００４４】
アンテナ４１は、無線端末４が接続しているサービングセルとしてのセルＡを構成する無線基地局２−１からの無線信号を受信する受信アンテナとして機能するとともに、無線基地局２−１へ無線信号を送信する送信アンテナとして機能する。つまり、本例のアンテナ４１は、デュプレクサ４２によって、受信アンテナと送信アンテナとが共用化された構成となっている。なお、図６はあくまで無線端末４の構成の一例を示しているに過ぎず、例えば、デュプレクサ４２を用いない場合、無線端末４は、送信アンテナと受信アンテナとをそれぞれ個別に有していてもよい。
【００４５】
また、アンテナ４１は、無線基地局２−１に隣接する他の無線基地局２−２，２−３と自局４との間の無線信号を送受信することもできる。
受信部４３は、アンテナ４１で受信した無線信号について所定の受信処理を施す。この受信処理には、例えば、ダウンコンバート処理，アナログ／デジタル変換処理，復調処理及び復号処理などが含まれる。受信部４３によって受信処理を施された信号は、測定部４４及びデータ処理部４５へ出力される。
【００４６】
測定部４４は、無線基地局２−１から受信した信号に基づいて、無線基地局２−１についての受信電力あるいは受信品質を測定、算出する。また、測定部４４は、隣接する他の無線基地局２−２，２−３から受信した信号に基づいて、無線基地局２−２，２−３についての受信電力あるいは受信品質を測定、算出する。
具体的には、例えば、測定部４４は、無線基地局２から受信した信号に含まれる、パイロット信号などの既知の信号についての受信電力（ＲＳＲＰ：Reference Signal Received Power）や、当該既知の信号についての受信品質（ＲＳＲＱ：Reference Signal Received Quality）を測定することができる。
【００４７】
これにより、無線端末４は、例えば、サービングセルとしてのセルＡの受信電力あるいは受信品質（Ms）と、隣接セルＢの受信電力あるいは受信品質（MnB）と、隣接セルＣの受信電力あるいは受信品質（MnC）とを測定することができる。なお、上記のMs及びMnBは、セルＡからセルＢへのハンドオーバを実施するための第１のハンドオーバ条件を無線端末４が満たすかどうかの判定に用いられる情報の一例である。また、上記のMnB及びMnCは、セルＢからセルＣへのハンドオーバを実施するための第２のハンドオーバ条件を無線端末４が満たすかどうかの判定に用いられる情報の一例である。
【００４８】
データ処理部４５は、無線基地局２から受信した信号に含まれる各種のデータについて所定の処理を施す。例えば、データ処理部４５は、無線基地局２から受信した信号に含まれる各種のメッセージを抽出して制御部４６に出力することができる。なお、前記各種のメッセージには、例えば、後述するRRC Connection Reconfigurationメッセージなどが含まれる。
【００４９】
これにより、無線端末４は、セルＡからセルＢへのハンドオーバを実施するための第１のハンドオーバ条件に含まれるHOmargin（HmB）や、セルＡからセルＣへのハンドオーバを実施するためのハンドオーバ条件に含まれるHOmargin（HmC）などを無線基地局２−１から取得することができる。
また、同様に、無線端末４は、セルＢからセルＣへのハンドオーバを実施するための第２のハンドオーバ条件に含まれるHOmargin（H3）や、セルＣからセルＢへのハンドオーバを実施するためのハンドオーバ条件に含まれるHOmargin（H4）を取得することもできる。
【００５０】
さらに、データ処理部４５は、無線基地局２−１から受信した信号に含まれるユーザデータを抽出して、無線端末４が有する各種アプリケーションなどに出力することができる。
制御部４６は、測定部４４で測定した無線基地局２−１についての受信電力あるいは受信品質（Ms）と、測定部４４で測定した無線基地局２−２，２−３についての受信電力あるいは受信品質（MnB、MnC）と、データ処理部４５で取得した各種のHOmargin（HmB、HmC、H3、H4）とに基づいて、自局４がMeasurement Reportの送信（通知）条件を満たすかどうかを判定する。
【００５１】
例えば、制御部４６は、無線端末４が接続しているサービングセルとしてのセルＡを構成する無線基地局２−１の受信電力あるいは受信品質（Ms）と、セルＡに隣接する隣接セルとしてのセルＢ，セルＣを構成する無線基地局２−２，２−３の受信電力あるいは受信品質（MnB，MnC）とに基づいて、無線端末４がMeasurement Reportの送信（通知）条件などを満たすかどうかを判定することができる。
【００５２】
自局４がMeasurement Reportの送信（通知）条件を満たすと判定した場合、制御部４６は、Measurement Reportを生成するようデータ生成部４７に指示する。
データ生成部４７は、制御部４６からの指示を受けて、Measurement Reportを生成する。データ生成部４７によって生成されたMeasurement Reportは、送信部４８へ出力される。
【００５３】
送信部４８は、データ生成部４７から入力されたMeasurement Reportを含む信号について、所定の送信処理を施し、アンテナ４１を介して無線基地局２−１へ送信する。なお、前記送信処理には、例えば、符号化処理，変調処理，デジタル／アナログ変換処理及びアップコンバート処理などが含まれる。
以上のように構成された無線端末４は、例えば、自局４が第１のハンドオーバ条件を満たすと判定した場合、ハンドオーバ実施の契機となるMeasurement Reportを、セルＡを構成する無線基地局（サービング基地局）２−１へ送信することができる。これにより、無線端末４は、サービング基地局２−１にハンドオーバ処理を実施させることができ、サービングセルＡから隣接セルＢ，Ｃへのハンドオーバを行なうことが可能となる。
【００５４】
即ち、制御部４６は、無線端末４が接続する無線基地局２−１が該無線端末４を該無線基地局２−１に隣接する隣接無線基地局２−２へハンドオーバさせる条件である隣接無線基地局向けハンドオーバ条件（以下、第１のハンドオーバ条件ともいう）と、前記隣接無線基地局２−２が該隣接無線基地局２−２に接続する無線端末を前記無線基地局２−１と該隣接無線基地局２−２とに隣接する他隣接無線基地局２−３にハンドオーバさせる条件である隣接無線基地局間ハンドオーバ条件（以下、第１のハンドオーバ条件ともいう）とを記憶する該無線基地局２−１が、前記無線基地局２−１に接続する無線端末である接続無線端末４を前記隣接無線基地局２−２へハンドオーバさせることを前記隣接無線基地局向けハンドオーバ条件に基づいて決定したときに、該隣接無線基地局２−２が該接続無線端末４を前記他隣接無線基地局２−３へハンドオーバさせると前記隣接無線基地局間ハンドオーバ条件に基づいて判定した場合、該他隣接無線基地局２−３へハンドオーバする制御部の一例として機能する。
【００５５】
また、アンテナ４１，デュプレクサ４２，受信部４３及び送信部４８は、無線端末４が接続する無線基地局２−１と無線通信を行なう無線通信部の一例として機能する。
（１．３）無線基地局２の構成例
図７は無線基地局２の構成の一例を示す図である。
この図７に示す無線基地局２は、例示的に、アンテナ２１と、デュプレクサ２２と、受信部２３と、制御メッセージ抽出部２４と、データ生成部２５と、ネットワークＩＦ（インタフェース）部２６と、識別部２７と、バッファ部２８とをそなえる。また、無線基地局２は、更に例示的に、ＰＤＵ（Protocol Data Unit）生成部２９と、送信部３０と、記憶部３２を有する制御部３１と、制御メッセージ生成部３３とをそなえる。
【００５６】
アンテナ２１は、無線端末４からの無線信号を受信する受信アンテナとして機能するとともに、無線端末４へ無線信号を送信する送信アンテナとして機能する。つまり、本例のアンテナ２１は、デュプレクサ２２によって、受信アンテナと送信アンテナとが共用化された構成となっている。なお、図７はあくまで無線基地局２の構成の一例を示しているに過ぎず、例えば、デュプレクサ２２を用いない場合、無線基地局２は、送信アンテナと受信アンテナとをそれぞれ個別に有していてもよい。
【００５７】
受信部２３は、アンテナ２１で受信した、無線端末４からの無線信号について所定の受信処理を施す。この受信処理には、例えば、ダウンコンバート処理，アナログ／デジタル変換処理，復調処理及び復号処理などが含まれる。受信部２３によって受信処理を施された信号は、制御メッセージ抽出部２４へ出力される。
制御メッセージ抽出部２４は、無線端末４から受信した信号に含まれる、自局２宛の制御メッセージ及び有線側ネットワーク側宛の制御メッセージを抽出する。
【００５８】
このため、例えば、制御メッセージ抽出部２４は、無線端末４から受信した信号に含まれるデータが無線基地局２−１宛の制御メッセージであるのか、無線基地局２−１の上位に位置する有線側ネットワークへのデータであるのかを判別する。
無線端末４から受信した信号に含まれるデータが無線基地局２−１宛の制御メッセージであると判別した場合、制御メッセージ抽出部２４は、当該制御メッセージを制御部３１へ出力する。
【００５９】
一方、無線端末４から受信した信号に含まれるデータが有線側ネットワークへのデータであると判別した場合、制御メッセージ抽出部２４は、当該データをデータ生成部２５へ出力する。
なお、上記無線基地局２−１宛の制御メッセージには、無線端末４からのMeasurement Reportや、セルＡの受信電力あるいは受信品質（Ms），セルＢの受信電力あるいは受信品質（MnB）及びセルＣの受信電力あるいは受信品質（MnC）などが含まれる。
【００６０】
即ち、本例の受信部２３は、上記第２のハンドオーバ条件を満たすかどうかの判定に用いる、セルＢにおける無線端末４の受信品質あるいは受信電力、並びに、セルＣにおける無線端末４の受信品質あるいは受信電力を無線端末４から受信する。
また、本例の受信部２３は、上記第１のハンドオーバ条件を満たすかどうかの判定に用いる、セルＡにおける無線端末４の受信品質あるいは受信電力、並びに、セルＢにおける無線端末４の受信品質あるいは受信電力を無線端末４から受信する機能も具備する。
【００６１】
制御メッセージ生成部３３は、無線基地局２−１から無線端末４への制御メッセージや、無線基地局２−１から自局２−１に隣接する他の無線基地局２−２，２−３への制御メッセージを生成する。
無線端末４宛に生成された制御メッセージは、制御メッセージ生成部３３からＰＤＵ生成部２９へ出力される。なお、無線端末４宛の制御メッセージには、例えば、後述するRRC Connection Reconfigurationメッセージなどが含まれる。
【００６２】
一方、無線基地局２−２，２−３宛に生成された制御メッセージは、制御メッセージ生成部３３からデータ生成部２５へ出力される。なお、無線基地局２−２，２−３宛の制御メッセージには、例えば、後述するHandover Requestメッセージ，Handover Request Acknowledgeメッセージ，Mobility Change Requestメッセージ及びMobility Change Acknowledgeメッセージなどが含まれる。
【００６３】
データ生成部２５は、制御メッセージ抽出部２４及び制御メッセージ生成部３３から入力される各制御メッセージを、有線ネットワーク側のフォーマットに従った形式に変換する。データ生成部２５による変換後のデータは、ネットワークＩＦ部２６へ出力される。
ネットワークＩＦ部２６は、無線基地局２と有線側ネットワークとのインタフェースとして機能する。例えば、ネットワークＩＦ部２６は、有線側ネットワークから無線端末４宛のデータを受信したり、無線端末４から有線側ネットワーク宛のデータを送信したりする。
【００６４】
また、ネットワークＩＦ部２６は、無線基地局２−１と他の無線基地局２−２，２−３との間のデータ送受信を行なうこともできる。これにより、無線基地局２−１は、他の無線基地局２−２，２−３宛に、各種の制御メッセージを送信したり、他の無線基地局２−２，２−３から各種の制御メッセージを受信したりすることができる。なお、無線基地局２−１と無線基地局２−２，２−３との間で送受信される上記制御メッセージには、例えば、後述するMobility Change Requestメッセージ及びMobility Change Acknowledgeメッセージなどが含まれる。
【００６５】
これにより、無線基地局２−１は、無線基地局２−２及び無線基地局２−３の少なくとも一方から、無線基地局２−２，２−３間における第２のハンドオーバ条件を取得することができる。
また、無線基地局２−１は、自局２と無線基地局２−２との間のハンドオーバ条件を無線基地局２−３へ通知したり、自局２と無線基地局２−３との間のハンドオーバ条件を無線基地局２−２へ通知したりすることができる。
【００６６】
即ち、本例のネットワークＩＦ部２６は、第２のハンドオーバ条件に関する情報を、無線基地局２−１とそれぞれ隣接する無線基地局２−２あるいは無線基地局２−３から受信する。
また、ネットワークＩＦ部２６は、上記第２のハンドオーバ条件が変更されたタイミングで、当該第２のハンドオーバ条件に関する情報を、無線基地局２−１とそれぞれ隣接する無線基地局２−２あるいは無線基地局２−３から受信してもよい。
【００６７】
さらに、本例のネットワークＩＦ部２６は、上記第１のハンドオーバ条件に関する情報を他の無線基地局２−３に送信する送信部の一例として機能する。
なお、無線基地局２−２，２−３が無線基地局２−１と同様の構成を有することができることに鑑みれば、無線基地局２−２，２−３が、無線端末４がセルＢからセルＣへのハンドオーバを実施するための第２のハンドオーバ条件に関する情報を無線基地局２−１へ送信する送信部をそなえることはいうまでもない。
【００６８】
識別部２７は、ネットワークＩＦ部２６を介して有線側ネットワークから受信したデータについて、当該データの内容に基づき、当該データが自局２−１宛のデータであるのか、無線端末４宛のデータであるのかを識別する。
例えば、有線側ネットワークから受信したデータがヘッダとペイロードとからなるパケット形式のデータである場合、識別部２７は、例えば、パケットのヘッダ部分に格納される各種の識別情報などに基づき、当該パケットが自局２宛のデータであるのか無線端末４宛のデータであるのかを識別することができる。
【００６９】
上記の識別結果に応じて、識別部２７は、有線側ネットワークから受信したデータを、バッファ部２８が宛先毎に備える各バッファ領域にそれぞれ格納する。なお、各バッファ領域は、バッファ部２８が有するそれぞれ異なるメモリによって構成されてもよいし、バッファ部２８が有する単一のメモリ内に設けられる複数の記憶領域によって構成されてもよい。
【００７０】
バッファ部２８は、識別部２７からのデータを格納する。上述のように、バッファ部２８は、識別部２７から入力されるデータの宛先（種別）に応じて、それぞれ異なるバッファに格納することができる。
この場合、バッファ部２８は、例えば、自局２−１に接続される無線端末４の数に応じた数のバッファを有するとともに、自局２−１宛のデータを格納するためのバッファを有することができる。なお、無線端末４宛のデータを格納するバッファは、さらに、VoIPやWebなどのデータの種類に応じた数のバッファにより構成されてもよい。
【００７１】
一方、自局２−１宛のデータを格納するためのバッファには、自局２−１に隣接する他の無線基地局２−２，２−３から受信したMobility Change Requestメッセージや、Mobility Change Acknowledgeメッセージなどの制御メッセージが格納される。当該制御メッセージは、制御部３１へ出力される。
ＰＤＵ生成部２９は、バッファ部２８に格納される無線端末４宛のデータや、制御メッセージ生成部３３によって生成される無線端末４宛の制御メッセージを、無線基地局２から無線端末４へ送信する際のデータフォーマットに変換して、ＰＤＵを生成する。
【００７２】
送信部３０は、ＰＤＵ生成部２９によって生成されたＰＤＵについて、所定の送信処理を施し、アンテナ２１を介して無線端末４へ送信する。なお、前記送信処理には、例えば、符号化処理，変調処理，デジタル／アナログ変換処理及びアップコンバート処理などが含まれる。
ここで、制御部３１は、無線基地局２の動作に関する各種の制御を行なう。
【００７３】
例えば、制御部３１は、バッファ部２８におけるバッファ状況に基づき、自局２−１と無線端末４とのデータ送受信に関するスケジューリングを制御する。当該スケジューリング制御の結果に基づき、制御部３１は、自局２−１と無線端末４とのデータ送受信を行なうよう、ＰＤＵ生成部２９，送信部３０及び受信部２３の各種制御を行なう。
また、無線端末４または他の無線基地局２−２，２−３に対して制御を行なう場合、制御部３１は、制御メッセージ生成部３３に各種の制御メッセージを生成するよう指示することもできる。
【００７４】
さらに、制御部３１は、ネットワークＩＦ部２６，識別部２７及びバッファ部２８を介して他の無線基地局２−２，２−３から受信した、Mobility Change RequestメッセージやMobility Change Acknowledgeメッセージなどの制御メッセージに基づき、自局２−１と他の無線基地局２−２，２−３との間のハンドオーバ条件及び他の無線基地局２−２，２−３間のハンドオーバ条件を記憶する記憶部３２をそなえる。
【００７５】
なお、記憶部３２に記憶される各ハンドオーバ条件は、他の無線基地局２−２，２−３から受信されるMobility Change Requestメッセージに基づいて、適宜、その内容が更新されてもよい。また、記憶部３２は、例えば、無線端末４に関する各種の情報や、無線通信システム１に関する各種の情報を記憶してもよい。
また、本例の制御部３１は、制御メッセージ抽出部２４で抽出した無線端末４からのMeasurement Reportと、記憶部３２が記憶する各種のハンドオーバ条件とに基づいて、無線端末４のハンドオーバ先を決定する制御を行なう。
【００７６】
具体的には例えば、制御部３１は、自局２−１と接続している無線端末４がセルＡからセルＢへのハンドオーバを実施するための第１のハンドオーバ条件を満たすかどうかを判定するとともに、無線端末４がセルＢからセルＣへのハンドオーバを実施するための第２のハンドオーバ条件を満たすかどうかを判定する。
そして、制御部３１は、前記第１のハンドオーバ条件と前記第２のハンドオーバ条件とを共に満たすと判定した場合、無線端末４を、セルＡからセルＢへのハンドオーバを行なうことなく、セルＡからセルＣに直接ハンドオーバさせる。
【００７７】
即ち、本例の制御部３１は、無線基地局２−１に接続する無線端末である接続無線端末４を隣接無線基地局２−２へハンドオーバさせることを前記隣接無線基地局向けハンドオーバ条件に基づいて決定したときに、該隣接無線基地局２−２が該接続無線端末４を他隣接無線基地局２−３へハンドオーバさせると前記隣接無線基地局間ハンドオーバ条件に基づいて判定した場合に、該接続無線端末４を該他隣接無線基地局２−３へハンドオーバさせる制御部の一例として機能する。
【００７８】
これにより、無線基地局２−１は、例えば、セルＡからセルＢへの不要なハンドオーバを省略することができるので、ハンドオーバの発生を抑制し、無線通信システムの負荷を低減することが可能となる。また、ハンドオーバの発生を抑制し、瞬断の発生を低減することが可能となる。
また、制御部３１は、無線端末４が前記第１のハンドオーバ条件を満たす一方、前記第２のハンドオーバ条件を満たさないと判定した場合、無線端末４を、セルＡからセルＢにハンドオーバさせてもよい。
【００７９】
なお、前述のように、本例では、無線基地局２−１が上記のハンドオーバ制御を行なう例を用いたが、他の無線基地局２−２，２−３が同様のハンドオーバ制御を行なってもよい。
次に、上記のように構成された無線端末４及び無線基地局２を有する無線通信システム１の動作例について説明する。
【００８０】
（１．４）無線通信システム１の動作例
まず、図８に例示するように、無線基地局２は、Measurement Reportに関する設定を無線端末４に通知すべく、RRC Connection Reconfigurationメッセージを無線端末４へ送信する（ステップＳ１０）。なお、RRC Connection Reconfigurationメッセージには、Measurement Reportに関する設定情報を含む、Measurement Report Configurationメッセージが含まれる。
【００８１】
このRRC Connection Reconfigurationメッセージは、無線端末４が無線通信システム１へ接続する際や、Measurement Reportに関する設定の変更時、あるいは、無線端末４がサービングセルＡから他のセルＢ，Ｃにハンドオーバするタイミングで送信される。
無線端末４は、無線基地局２からRRC Connection Reconfigurationメッセージを受信すると、Measurement Report Configurationに含まれる測定（Measurement）の条件や、Measurement Reportの通知（送信）条件、通知内容に関する設定を参照する。
【００８２】
そして、無線端末４は、Measurement Report Configurationに含まれる各種の設定に基づいて、サービングセルＡにおける受信電力または受信品質（Ms）及び隣接セルＢ，Ｃにおける受信電力または受信品質（MnB、MnC）の測定を行ない、無線基地局２−１へ当該測定結果を含むMeasurement Reportを送信する。
ここで、図９にMeasurement Report Configurationメッセージの内容の一例を示す。
【００８３】
この図９に例示するように、Measurement Report Configurationメッセージは、測定対象モジュール（MeasObjectMod），通知設定モジュール（ReportConfigMod）及び測定ＩＤモジュール（MeasIDMod）の３つのパートから構成される。
MeasObjectModは、測定対象のセルについての情報を含んでいる。具体的には例えば、MeasObjectModには、各設定を識別するためのＩＤ（measObjectID）や、測定対象の隣接セルについての情報のリスト（CellsModList）が含まれる。
【００８４】
CellsModListには、隣接セルの情報（CellsMod）が含まれる。また、各CellsModには、セルを識別するためのＩＤ（CellID）や、Measurement Reportの通知条件に関するマージン値（HOmargin）が含まれる。
また、ReportConfigModは、Measurement Reportの通知条件や、通知内容に関する設定情報を含んでいる。具体的には例えば、ReportConfigModには、各設定を識別するためのＩＤ（ReportConfigID）や、Measurement Reportの通知条件として、受信電力を参照するか、受信品質を参照するかについての指定（triggerQuantity）や、Measurement Reportの通知内容として、triggerQuantityが指定しているもの（受信電力あるいは受信品質）か、受信電力と受信品質の両方かの指定（reportQuantity）が含まれる。これらのパラメータ設定及び無線端末４における当該設定の利用方法については後述する。
【００８５】
MeasIDModは、測定対象の情報であるMeasObjectModに対し、Measurement Reportについての設定情報であるReportConfigModの適用を行なう。MeasIDModは、それ自体のＩＤ（MeasID）とMeasObjectModのＩＤ（MeasObjectID）と、ReportConfigModのＩＤ（ReportConfigID）とから構成される。
ここで、MeasObjectMod，ReportConfigMod，MeasIDMod，CellsModの関係の一例を図１０に示す。
【００８６】
この図１０に例示するように、MeasIDMod1は、MeasObjectMod1に対し、ReportConfigMod1を適用し、MeasIdMod2は、MeasObjectMod1に対し、ReportConfigMod2を適用している。このように，各MeasObjectModに対し、複数のReportConfiModを設定することも可能である。
無線端末４は、これらのMeasurement Report Configurationメッセージに基づいて、サービングセルＡにおける受信品質あるいは受信電力（Ms）及び隣接セルＢ，Ｃにおける受信品質あるいは受信電力（MnB、MnC）の測定を行なう。さらに、無線端末４は、サービングセルＡを構成する無線基地局２−１へ上記の測定結果を含む、Measurement Reportを送信する。
【００８７】
ここで、無線基地局２−１が、自局２−１と接続している無線端末４に送信するMeasurement Report Configurationメッセージの一例を図１１に示す。
この図１１に例示するように、MeasObjectModのCellsModList内のCellsModでは、隣接セルＢ（cellID=B）及び隣接セルＣ（cellID=C）についての設定がそれぞれなされている。なお、図１１に示す例では、セルＢに対するHOmarginをHmBとする一方、隣接セルＣに対するHOmarginをHmCに設定している。また、MeasObjectModに対するReportConfigModでは、triggerQuantityを「０」（受信電力を測定させる設定）あるいは「１」（受信品質を測定させる設定）に設定している。さらに、reportQuantityを「０」（triggerQuantityと同じ情報を報告させる設定）あるいは「１」（受信電力及び受信品質を報告させる設定）に設定している。
【００８８】
次に、無線基地局２−１に接続している無線端末４が、図１１に例示したMeasurement Report Configurationメッセージに基づいて、Measurement Reportを送信する際の処理フローの一例を図１２に示す。
この図１２に例示するように、まず、無線端末４は、サービングセルＡにおける受信電力及び受信品質の少なくとも一方（Ms）を測定する（ステップＳ２０）。また、無線端末４は、隣接セルＢ，Ｃにおける受信電力及び受信品質の少なくとも一方（MnB、MnC）を測定する（ステップＳ２１）。
【００８９】
そして、無線端末４は、Measurement Report Configurationメッセージに設定されるtriggerQuantityに基づき、セルＡ，セルＢ及びセルＣにおける各受信電力あるいは受信品質（Ms、MnB、MnC）について、Measurement Reportの通知条件を満たすかどうかを判断する。
具体的には、例えば、無線端末４は、セルＢ，Ｃの受信電力あるいは受信品質の測定結果であるMnB，MnCと、サービングセルＡの受信電力あるいは受信品質の測定結果であるMsとに基づいて、以下の式（２）あるいは式（３）の条件を満たすかを判断する（ステップＳ２２）。
【００９０】
【数２】
2012127600.tif 000004
【００９１】
【数３】
2012127600.tif 000005
【００９２】
ここで、HmB及びHmCは、それぞれ、Measurement Report Configurationメッセージに設定されるパラメータ（HOmargin）である。即ち、各ハンドオーバ条件は、無線端末４がハンドオーバ元の無線基地局から受信した無線信号の受信品質に関する情報と無線端末４がハンドオーバ先の無線基地局から受信した無線信号の受信品質に関する情報との比較における重みを含んでいる。
【００９３】
上記の式（２）及び式（３）をいずれも満たさない場合（ステップＳ２２のＮｏルート）、無線端末４は、測定通知を無線基地局２−１に送信することなく、処理を終了する。
一方、上記の式（２）及び式（３）のいずれかを満足する場合（ステップＳ２２のＹｅｓルート）、無線端末４は、サービングセルＡを構成する無線基地局２−１へMeasurement Reportを送信する（ステップＳ２３）。
【００９４】
ここで、Measurement Reportの内容の一例を図１３に示す。
この図１３に例示するように、Measurement Reportは、測定結果についての情報であるMeasResultsを含む。このMeasResultsは、measID，measResultServCell及びmeasResultNeighCellsから構成される。
MeasIDは、図９に示すMeasurement Report ConfigurationメッセージのMeasIDModにおけるMeasIDに対応している。これにより、無線端末４は、Measurement Report ConfigurationメッセージのMeasIDに対応する測定結果をMeasIDにより指定して、Measurement Reportを送信する。
【００９５】
measResultServCellは、サービングセルＡの受信電力（rsrpResult）及び受信品質（rsrqResult）のうち少なくともいずれかの情報を含む。また、measResultNeighCellsにおけるmeaseResultNeighCellは、隣接セルＢ，ＣのＩＤ（phyCellId）と、隣接セルＢ，Ｃにおける受信電力（rsrpResult）及び受信品質（rsrqResult）のうち少なくともいずれかとを含む。なお、上述したように、Measurement Reportに含まれる情報が、受信電力か受信品質か、あるいはその両方かは、Measurement Report ConfigurationメッセージにおけるreportQuantityによって指定（設定）される。
【００９６】
ここでは、セルＡを構成する無線基地局２−１に接続している無線端末４が、図１１に示したMeasurement Report Configurationメッセージに基づき、図１２のステップＳ２２に示したMeasurement Reportの通知条件を満たす場合にMeasurement Reportを無線基地局２−１へ送信する。
このとき、Measurement ReportのMeasResultsには、サービングセルＡにおける受信電力及び受信品質の少なくとも一方（Ms）と、隣接セルＢ，Ｃにおける受信電力及び受信品質の少なくとも一方（MnB、MnC）とが設定される。
【００９７】
ここで、ハンドオーバのシーケンスの一例を図１４に示す。なお、無線基地局２−１が複数のセルを構成しており、無線端末４が、当該無線基地局２内の複数のセル間でハンドオーバを行なう場合、異なる無線基地局２間でのシーケンスは省略することができる。
まず、無線端末４は、サービングセルＡにおける受信電力あるいは受信品質（Ms）と、隣接セルＢ，Ｃにおける受信電力あるいは受信品質（MnB、MnC）とを測定する。そして、当該測定の結果、Measurement Reportの通知条件を満たした場合、無線端末４は、サービングセルＡを構成する無線基地局２−１へMeasurement Reportを送信する（ステップＳ３０）。なお、図１４に示す例では、サービングセルＡに隣接するセルＢの受信電力あるいは受信品質（MnB）が、Measurement Reportの通知条件を満たしている。
【００９８】
無線端末４は、測定したセルＡの受信電力及び受信品質のうち少なくとも一方の情報（Ms）と、セルＢ，Ｃの受信電力及び受信品質のうち少なくとも一方の情報（MnB、MnC）とをMeasurement Reportに含めて無線基地局２−１に送信する。
無線端末４からMeasurement Reportを受信した無線基地局２−１は、Measurement Reportに含まれるセルＡの受信電力あるいは受信品質（Ms）とセルＢ，Ｃの受信電力あるいは受信品質（MnB、MnC）を参照し、各ハンドオーバ条件に照らして、ハンドオーバのターゲットセルを決定（HO decision）する制御を行なう（ステップＳ３１）。ここでは、無線基地局２−１は、ハンドオーバのターゲットセルとして、セルＢではなくセルＣを選択する。
【００９９】
ハンドオーバ先としてセルＣを決定した後、無線基地局２−１は、セルＣを提供する無線基地局２−３に対して、Handover Requestメッセージを送信する（ステップＳ３２）。
無線基地局２−１からHandover Requestメッセージを受信した無線基地局２−３は、無線端末４のハンドオーバを許可する場合、無線基地局２−１に対して、Handover Request Acknowledgeメッセージを返信する（ステップＳ３３）。
【０１００】
無線基地局２−１は、無線基地局２−３からHandover Request Acknowledgeメッセージを受信した後、無線端末４に対して、RRC Connection Reconfigurationメッセージを送信する（ステップＳ３４）。このRRC Connection Reconfigurationメッセージは、無線端末４に対するハンドオーバを指示するための制御メッセージであり、上述のように、ハンドオーバのターゲットセルであるセルＣに関する各種の情報を含んでいる。
【０１０１】
無線基地局２−１からRRC Connection Reconfigurationメッセージを受信した無線端末４は、当該メッセージに含まれる各種の情報を参照して、ターゲットセルＣを構成する無線基地局２−３に接続を行ない、無線基地局２−３に対して、RRC Connection Reconfiguration Completeメッセージを送信する（ステップＳ３５）。
そして、無線基地局２−３は、無線端末４からのRRC Connection Reconfiguration Completeメッセージを受信し、ハンドオーバのシーケンスが終了する。
【０１０２】
ここで、セルＡを提供する無線基地局２−１がハンドオーバのターゲットセルを決定する際に参照するテーブルの一例を図１５に示す。なお、この図１５に例示するテーブルは、前述の記憶部３２に格納され、サービングセルＡから隣接セルＢ，Ｃにハンドオーバするための条件（H1(=HmB)、H2(=HmC)）と、隣接セルＢ，Ｃ間でハンドオーバが行なわれる条件（H3、H4）とを保持している。隣接セルＢ，Ｃ間でハンドオーバが行なわれる条件（H3、H4）については、既述したとおり、隣接する他の無線基地局２−２あるいは２−３から無線基地局２−１へ予め通知される。なお、サービングセルＡから隣接セルＢ，Ｃへのハンドオーバ条件については、式（２）及び式（３）に示したとおりである。
【０１０３】
上記のテーブル中、隣接セルＢ，Ｃ間におけるハンドオーバ条件に関する情報（H3、H4）は、隣接セルＢまたは隣接セルＣを提供する無線基地局２−２または無線基地局２−３において設定されているMeasurement Report Configurationに従って、設定される。
ここで、図１６に無線基地局２間で送受信される制御メッセージの一例を示す。
この図１６に例示するように、無線基地局２−２は、無線基地局２−３及び無線基地局２−１へハンドオーバ条件に関する情報を通知する。
【０１０４】
無線基地局２−２は、まず、無線基地局２−３に対して、Mobility Change Requestメッセージを送信し（ステップＳ５０）、セルＢとセルＣとの間のハンドオーバ条件の更新を要求する。
具体的には例えば、無線基地局２−２における負荷が所定の閾値よりも大きくなり、無線基地局２−２から無線基地局２−３に対して、ハンドオーバ条件の更新を図る場合、無線基地局２−２は、セルＢからセルＣへのハンドオーバ条件に用いられるHOmargin値（H3）を小さくする変更を行なうとともに、セルＣからセルＢへのハンドオーバ条件に用いられるHOmargin値（H4）を大きくする変更を行なうよう、無線基地局２−３に要求する。
【０１０５】
無線基地局２−３は、上記の要求を許可する場合、無線基地局２−２へMobility Change Acknowledgeメッセージを返信する（ステップＳ５１）。
次に、無線基地局２−２は、無線基地局２−１に対して、Mobility Change Requestメッセージを送信する（ステップＳ５２）。当該Mobility Change Requestメッセージには、セルＢからセルＡへのハンドオーバ条件に用いられるHOmargin値を小さくする変更を行なうとともに、セルＡからセルＢへのハンドオーバ条件に用いられるHOmargin値（H1=HmB）を大きくする変更を行なうよう、無線基地局２−１に要求する。
【０１０６】
また、無線基地局２−２は、Mobility Change Requestメッセージに、上記更新したHOmargin値（H3）の情報を少なくとも含ませて、無線基地局２−１に送信する。なお、当該Mobility Change Requestメッセージには、上記更新したHOmargin値（H4）の情報が含まれてもよい。
無線基地局２−１は、上記の要求を許可する場合、無線基地局２−２へMobility Change Acknowledgeメッセージを返信する（ステップＳ５３）。
【０１０７】
ここで、無線基地局２−２から無線基地局２−１へ送信されるMobility Change Requestメッセージの内容の一例を示す。
この図１７に例示するように、本例のMobility Change Requestメッセージは、Change Request情報とChange Notification情報とを有する。
Change Request情報は、例えば、Mobility Change Requestメッセージの送信元である無線基地局２−２が提供するセルＢのＩＤ（Cell ID2）と、Mobility Change Requestメッセージの送信先である無線基地局２−１が提供するセルＡのＩＤ（Cell ID1）とを有する。
【０１０８】
また、Change Request情報は、Cell ID2のセルＢからCell ID1のセルＡへのハンドオーバ条件に含まれるHOmargin値あるいは差分値を示すHO trigger change1情報と、Cell ID1のセルＡからCell ID2のセルＢへのハンドオーバ条件に含まれるHOmargin値あるいは差分値を示すHO trigger change2情報とを有する。なお、差分値とは、現在のHOmargin値と更新（変更）後のHOmargin値との差を示す値である。
【０１０９】
さらに、Change Notification情報は、例えば、Mobility Change Requestメッセージの送信元である無線基地局２−２が提供するセルＢのＩＤ（Cell ID2）と、無線基地局２−２及び無線基地局２−１に隣接する無線基地局２−３が提供するセルＣのＩＤ（Cell ID3）とを有する。
また、Change Notification情報は、Cell ID2のセルＢからCell ID3のセルＣへの第２のハンドオーバ条件に含まれるHOmargin値あるいは差分値を示すHO trigger change3情報を有する。なお、Change Notification情報は、Cell ID3のセルＣからCell ID2のセルＢへのハンドオーバ条件に含まれるHOmargin値あるいは差分値を示すHO trigger change4情報を有していてもよい。
【０１１０】
このように、本例では、例えば、無線基地局２−１は、第１のハンドオーバ条件に関する情報（Change Request情報）に加えて第２のハンドオーバ条件に関する情報（Change Notification情報）を含むMobility Change Requestメッセージを無線基地局２−２から通知されることができる。
なお、上記の例では、無線基地局２−２は、無線基地局２−３，無線基地局２−１の順にMobility Change Requestメッセージを送信したが、例えば、上記更新後のHOmargin値（H3）と上記更新後のHOmargin値（H1=HmB）との各値に基づいて、Mobility Change Requestメッセージの送信順を決定してもよい。
【０１１１】
例えば、無線基地局２−２は、上記更新後のHOmargin値（H3）と上記更新後のHOmargin値（H1=HmB）とを比較し、上記更新後のHOmargin値が小さい方の無線基地局２の順に、Mobility Change Requestメッセージを送信してもよい。なお、無線基地局２−２は、先にMobility Change Requestメッセージを送信する無線基地局２−３には、後に無線基地局２−１へ送信されるMobility Change Requestメッセージに含まれる、HOmargin値に関する情報を通知しなくてもよい。
【０１１２】
例えば、図１８に示すように、まず、無線基地局２−２は、自局２−２の負荷を測定し、当該測定結果が所定の閾値よりも大きいかどうかを判定する。なお、無線基地局２の負荷には、例えば、無線基地局２でのＣＰＵ負荷やリソース使用量やリソース使用率などが含まれる。
そして、自局２−２の負荷所定の閾値よりも大きいと判定（検出）した場合（ステップＳ６０）、無線基地局２−２は、自局２−２が提供するセルＢに隣接するセルＡ，Ｃをそれぞれ提供する無線基地局２−１，２−３における負荷を取得する（ステップＳ６１）。なお、無線基地局２−１，２−３における負荷についての情報は、無線基地局２がそれぞれ有するネットワークＩＦ部２６によって、それぞれ送受信されることができる。
【０１１３】
次いで、無線基地局２−２は、ステップＳ６０及びＳ６１で取得した各負荷についての情報に基づき、自局２−２が提供するセルＢから隣接セルＡ，Ｃへのハンドオーバ条件に含まれる各HOmargin値と、隣接セルＡ，ＣからセルＢへのハンドオーバ条件に含まれる各HOmargin値とを計算（算出）する（ステップＳ６２）。なお、既述のように、負荷が比較的低いセルに対してや、負荷が比較的高いセルで使用される無線周波数とは異なる無線周波数を利用しているセルに対しては、優先的にHOmargin値を小さく変更してもよい。
【０１１４】
さらに、無線基地局２−２は、ステップＳ６２で算出した各HOmargin値に基づき、セルＢからのハンドオーバ条件に含まれるHOmargin値が小さい順に、隣接セルＡ，Ｃに対するMobility Change Requestメッセージの送信順序をソートする（ステップＳ６３）。
そして、無線基地局２−２は、ステップＳ６３でソートした順序で、Mobility Change Requestメッセージを無線基地局２−３，２−１へ送信する（ステップＳ６４）。
【０１１５】
これにより、無線基地局２−２は、無線基地局２−１へのMobility Change RequestメッセージのChange Notification情報に、無線基地局２−２と無線基地局２−３との間での第２のハンドオーバ条件に含まれる情報（H3）を含めることができる。なお、上述した例では、無線基地局２−２が無線基地局２−１に対して第２のハンドオーバ条件に含まれる情報（H3）を通知したが、無線基地局２−３が同様の情報を無線基地局２−１に通知してもよい。
【０１１６】
ここで、本例の無線基地局２−１は、無線基地局２−２あるいは無線基地局２−３から通知された第２のハンドオーバ条件に含まれる情報（H3）を記憶部３２の上記テーブルに格納し、当該テーブルの内容に基づき、無線端末４のハンドオーバ先を決定する制御を行なう。
図１９に上記ハンドオーバ先決定の制御フローの一例を示す。
【０１１７】
この図１９に例示するように、まず、無線基地局２−１は、無線端末４からのMeasurement Reportの受信を契機として、Measurement Reportにそれぞれ含まれる、セルＢにおける受信電力あるいは受信品質（MnB）とセルＡにおける受信電力あるいは受信品質（Ms）と、上記テーブルに格納されるHOmargin（H1=HmB）とに基づいて、無線端末４が第１のハンドオーバ条件を満たすかどうかを判定する（ステップＳ４０）。具体的には、無線基地局２−１は、次式（４）を満たすかどうかを判定する。
【０１１８】
【数４】
2012127600.tif 000006
【０１１９】
上記の式（４）を満たす場合（ステップＳ４０のＹｅｓルート）、無線基地局２−１は、Measurement Reportにそれぞれ含まれる、セルＣにおける受信電力あるいは受信品質（MnC）とセルＡにおける受信電力あるいは受信品質（Ms）と、上記テーブルに格納されるHOmargin（H2=HmC）とに基づいて、無線端末４が他のハンドオーバ条件を満たすかどうかを判定する（ステップＳ４１）。具体的には、無線基地局２−１は、次式（５）を満たすかどうかを判定する。
【０１２０】
【数５】
2012127600.tif 000007
【０１２１】
上記の式（５）を満たす場合（ステップＳ４１のＹｅｓルート）、無線端末４は、セルＡからセルＢへの第１のハンドオーバ条件と、セルＡからセルＣへのハンドオーバ条件とをともに満たしているので、さらに、無線基地局２−１は、無線端末４をセルＢ，Ｃのいずれにハンドオーバさせるほうがいいのかを判定する（ステップＳ４３）。具体的には、無線基地局２−１は、次式（６）を満たすかどうかを判定する。
【０１２２】
【数６】
2012127600.tif 000008
【０１２３】
上記の式（６）を満たす場合（ステップＳ４３のＹｅｓルート）、無線基地局２−１は、セルＢを無線端末４のハンドオーバ先のターゲットセルの候補に設定する（ステップＳ４４）。
また、上記の式（５）を満たさない場合（ステップＳ４１のＮｏルート）、無線端末４は、セルＡからセルＢへの第１のハンドオーバ条件のみを満たしているので、無線基地局２−１は、セルＢを無線端末４のハンドオーバ先のターゲットセルの候補に設定する（ステップＳ４４）。
【０１２４】
一方、上記の式（４）を満たさない場合（ステップＳ４０のＮｏルート）、無線基地局２−１は、Measurement Reportにそれぞれ含まれる、セルＣにおける受信電力あるいは受信品質（MnC）とセルＡにおける受信電力あるいは受信品質（Ms）と、上記テーブルに格納されるHOmargin（H2=HmC）とに基づいて、無線端末４が上記の式（５）に示した他のハンドオーバ条件を満たすかどうかを判定する（ステップＳ４２）。
【０１２５】
上記の式（５）を満たす場合（ステップＳ４２のＹｅｓルート）や、上記の式（６）を満たさない場合（ステップＳ４３のＮｏルート）、無線基地局２−１は、セルＣを無線端末４のハンドオーバ先のターゲットセルの候補に設定する（ステップＳ４５）。なお、上記の式（５）を満たさない場合（ステップＳ４２のＮｏルート）は、無線端末４がいずれのハンドオーバ条件も満たさないので、無線基地局２−１は、無線端末４のハンドオーバを実施することなく処理を終了する。
【０１２６】
ここで、本例の無線基地局２−１は、上記のステップＳ４４及びＳ４５で設定したハンドオーバ先が妥当かどうかを判定し、当該判定結果に応じて、無線端末４のハンドオーバ先を、上記のステップＳ４４及びＳ４５で設定したハンドオーバ先とは異なるハンドオーバ先に決定する。
例えば、無線基地局２−１は、上記ステップＳ４４においてセルＢを無線端末４のハンドオーバ先のターゲットセルの候補に設定した後、当該ハンドオーバが仮に行なわれた場合に、セルＢからセルＣへの更なるハンドオーバが行なわれるかどうかを判定する（ステップＳ４６）。具体的には、無線基地局２−１は、次式（７）を満たすかどうかを判定する。
【０１２７】
【数７】
2012127600.tif 000009
【０１２８】
そして、上記の式（７）を満たす場合（ステップＳ４６のＹｅｓルート）、無線基地局２−１は、セルＢではなく、セルＣを無線端末４のハンドオーバ先のターゲットセルに決定して（ステップＳ４８）、処理を終了する。
一方、上記の式（７）を満たさない場合（ステップＳ４６のＮｏルート）、無線基地局２−１は、ステップＳ４４においてターゲットセルの候補に設定したセルＢを無線端末４のハンドオーバ先のターゲットセルに決定して（ステップＳ４９）、処理を終了する。
【０１２９】
また、例えば、無線基地局２−１は、上記ステップＳ４５においてセルＣを無線端末４のハンドオーバ先のターゲットセルの候補に設定した後、当該ハンドオーバが仮に行なわれた場合に、セルＣからセルＢへの更なるハンドオーバが行なわれるかどうかを判定する（ステップＳ４７）。具体的には、無線基地局２−１は、次式（８）を満たすかどうかを判定する。
【０１３０】
【数８】
2012127600.tif 000010
【０１３１】
そして、上記の式（８）を満たす場合（ステップＳ４７のＹｅｓルート）、無線基地局２−１は、セルＣではなく、セルＢを無線端末４のハンドオーバ先のターゲットセルに決定して（ステップＳ４９）、処理を終了する。
一方、上記の式（８）を満たさない場合（ステップＳ４７のＮｏルート）、無線基地局２−１は、ステップＳ４５においてターゲットセルの候補に設定したセルＣを無線端末４のハンドオーバ先のターゲットセルに決定して（ステップＳ４８）、処理を終了する。
【０１３２】
なお、上記テーブルに隣接セルＢ，Ｃ間のハンドオーバ条件に関する情報（H3、H4）が設定されていない場合は、無線基地局２−１は、上記ステップＳ４６〜Ｓ４９の処理を行なわないようにしてもよい。
以上のように、本例によれば、無線基地局２−１は、自局２−１と接続している無線端末４がセルＡからセルＢへハンドオーバするための第１のハンドオーバ条件と、セルＢからセルＣへハンドオーバするための第２のハンドオーバ条件とを満たす場合に、無線端末４をセルＡからセルＢではなく、セルＡからセルＣへハンドオーバさせる。即ち、無線端末４は、セルＢを経由することなく、セルＡからセルＣへ直接ハンドオーバされる。
【０１３３】
これにより、セルＡからセルＢへのハンドオーバを省略することができるので、ハンドオーバの発生を抑制し、無線通信システム１の負荷を低減することが可能となる。また、ハンドオーバに起因する瞬断の発生を低減することも可能となる。なお、既述のとおり、他の無線基地局２−２，２−３においても同様のハンドオーバ制御を行なうことができる。
【０１３４】
図２０に無線端末４のハードウェア構成の一例を示す。
無線ＩＦ（ＩｎｔｅｒＦａｃｅ）４９は、無線基地局２と無線通信を行なうためのインタフェース装置である。プロセッサ５０は、データを処理する装置であり、例えばＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等を含む。メモリ５１は、データを記憶する装置であり、例えばＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等を含む。論理回路５２は、論理演算を行なう電子回路であり、例えばＬＳＩ（Ｌａｒｇｅ  Ｓｃａｌｅ  Ｉｎｔｅｇｒａｔｉｏｎ）やＦＰＧＡ（Ｆｉｅｌｄ−Ｐｒｏｇｒａｍｍａｂｌｅ  Ｇａｔｅ  Ａｒｒａｙ）等を含む。入力ＩＦ５３は、入力を行なう装置であり、例えば操作ボタンやマイク等を含む。出力ＩＦ５４は、出力を行なう装置であり、例えばディスプレイやスピーカ等を含む。
【０１３５】
なお、図６に例示する無線端末４の各構成と図２０に例示する無線端末４の各構成との対応関係は、例えば次の通りである。
無線ＩＦ４９は、例えば、アンテナ４１，デュプレクサ４２，受信部４３の一部及び送信部４８の一部に対応する。プロセッサ５０，メモリ５１及び論理回路５２は、例えば、受信部４３の一部，測定部４４，データ処理部４５，制御部４６，データ生成部４７及び送信部４８の一部に対応する。
【０１３６】
また、図２１に無線基地局２のハードウェア構成の一例を示す。
無線ＩＦ（ＩｎｔｅｒＦａｃｅ）３４は、無線端末４と無線通信を行なうためのインタフェース装置である。プロセッサ３５は、データを処理する装置であり、例えばＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等を含む。メモリ３６は、データを記憶する装置であり、例えばＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等を含む。論理回路３７は、論理演算を行なう電子回路であり、例えばＬＳＩ（Ｌａｒｇｅ  Ｓｃａｌｅ  Ｉｎｔｅｇｒａｔｉｏｎ）やＦＰＧＡ（Ｆｉｅｌｄ−Ｐｒｏｇｒａｍｍａｂｌｅ  Ｇａｔｅ  Ａｒｒａｙ）等を含む。有線ＩＦ３８は、携帯電話システムの網側のネットワーク（いわゆるバックホールネットワーク）に接続された他の無線基地局等と有線通信を行なうためのインタフェース装置である。
【０１３７】
なお、図７に例示する無線基地局２の各構成と図２１に例示する無線基地局２の各構成との対応関係は、例えば次の通りである。
無線ＩＦ３４は、例えば、アンテナ２１，デュプレクサ２２，受信部２３の一部及び送信部３０の一部に対応する。プロセッサ３５，メモリ３６及び論理回路３７は、例えば、受信部２３の一部，制御メッセージ抽出部２４，データ生成部２５，識別部２７，バッファ部２８，ＰＤＵ生成部２９，送信部３０の一部，記憶部３２を有する制御部３１及び制御メッセージ生成部３３に対応する。有線ＩＦ３８は、例えば、ネットワークＩＦ部２６に対応する。
【０１３８】
〔２〕その他
なお、上述した実施形態における無線基地局２及び無線端末４の各構成及び各機能は、必要に応じて取捨選択してもよいし、適宜組み合わせて用いてもよい。即ち、本発明の機能を発揮できるように、上記の各構成及び各機能を取捨選択したり、適宜組み合わせて用いたりしてもよい。
【０１３９】
例えば、上述した実施形態において、無線基地局２−１は、Mobility Change Requestメッセージを無線基地局２−２から受信することで、第２のハンドオーバ条件に関する情報を取得しているが、これ以外の方法で第２のハンドオーバ条件を取得してもよい。例えば、無線基地局２−１において第２のハンドオーバ条件を事前設定により記憶させておいてもよい。このような実施形態は、ハンドオーバ条件が無線基地局間で異なるものの、ハンドオーバ条件が動的に変更されない、または、変更の頻度がそれほど多くない場合に実施することができる。
【０１４０】
また、上述した実施形態では、無線通信システム１が、互いに隣接する３つのセルを有する例を用いて本発明を説明したが、互いに隣接するセルが３つより大きい場合であっても上記と同様のハンドオーバ制御を行なうことができる。この場合、例えば、無線基地局２−１は、各隣接セル間におけるハンドオーバ条件に含まれる情報を他の無線基地局２から受信し、各隣接セルについて、図１６に例示したような制御フローを行なえばよい。具体的には例えば、サービングセルを提供する無線基地局２が、無線端末４のハンドオーバ先を順次先読みし、最終的に無線端末４が接続することになる無線基地局２へ最初からハンドオーバさせる制御を行なうようにしてもよい。
【０１４１】
さらに、上述した実施形態では、無線基地局２がハンドオーバ制御の主体である例を用いて本発明を説明したが、無線端末４がハンドオーバ制御の主体であってもよい。この場合、例えば、無線端末４が、無線基地局２から各種の情報を受信し、受信した各種の情報に基づいて、図１６に例示したような制御フローを行なえばよい。
また、上述した実施形態では、無線基地局２−２あるいは２−３が第２のハンドオーバ条件に含まれる情報を無線基地局２−１へ通知する例を用いて本発明を説明したが、無線基地局２−２あるいは２−３は、自局２−２あるいは２−３に隣接する他の無線基地局へ第２のハンドオーバ条件に含まれる情報を通知してもよい。これにより、無線基地局２−２あるいは２−３と、無線基地局２−２あるいは２−３に隣接する他の無線基地局との間に位置する無線端末４に対しても同様のハンドオーバ制御を実施することが可能となる。
【符号の説明】
【０１４２】
１００，１０１  無線通信システム
２００−１，２００−２，２００−３  無線基地局
３００−１，３００−２，３００−３  無線エリア（セルＡ，セルＢ，セルＣ）
４００  無線端末
１  無線通信システム
２−１，２−２，２−３  無線基地局
３−１，３−２，３−３  無線エリア（セルＡ，セルＢ，セルＣ）
４  無線端末
４１  アンテナ
４２  デュプレクサ
４３  受信部
４４  測定部
４５  データ処理部
４６  制御部
４７  データ生成部
４８  送信部
４９  無線ＩＦ
５０  プロセッサ
５１  メモリ
５２  論理回路
５３  入力ＩＦ
５４  出力ＩＦ
２１  アンテナ
２２  デュプレクサ
２３  受信部
２４  制御メッセージ抽出部
２５  データ生成部
２６  ネットワークＩＦ部
２７  識別部
２８  バッファ部
２９  ＰＤＵ生成部
３０  送信部
３１  制御部
３２  記憶部
３３  制御メッセージ生成部
３４  無線ＩＦ
３５  プロセッサ
３６  メモリ
３７  論理回路
３８  有線ＩＦ
【図１】
2012127600.tif 000011
【図２】
2012127600.tif 000012
【図３】
2012127600.tif 000013
【図４】
2012127600.tif 000014
【図５】
2012127600.tif 000015
【図６】
2012127600.tif 000016
【図７】
2012127600.tif 000017
【図８】
2012127600.tif 000018
【図９】
2012127600.tif 000019
【図１０】
2012127600.tif 000020
【図１１】
2012127600.tif 000021
【図１２】
2012127600.tif 000022
【図１３】
2012127600.tif 000023
【図１４】
2012127600.tif 000024
【図１５】
2012127600.tif 000025
【図１６】
2012127600.tif 000026
【図１７】
2012127600.tif 000027
【図１８】
2012127600.tif 000028
【図１９】
2012127600.tif 000029
【図２０】
2012127600.tif 000030
【図２１】
2012127600.tif 000031
【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
無線基地局であって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する記憶部と、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる制御部とをそなえる、ことを特徴とする、無線基地局。
【請求項２】
前記ハンドオーバさせる条件は、無線端末がハンドオーバ元の無線基地局から受信した無線信号の受信電力又は受信品質に関する情報と無線端末がハンドオーバ先の無線基地局から受信した無線信号の受信電力又は受信品質に関する情報との比較における重みを含む、ことを特徴とする、請求項１記載の無線基地局。
【請求項３】
前記制御部は、該接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせないと前記隣接無線基地局間ハンドオーバ条件に基づいて判定した場合に、該接続無線端末を前記隣接無線基地局へハンドオーバさせる、ことを特徴とする、請求項１または２に記載の無線基地局。
【請求項４】
前記接続無線端末が前記無線基地局，前記隣接無線基地局及び前記他隣接無線基地局のそれぞれから受信した無線信号の受信電力又は受信品質に関する情報を該接続無線端末から受信する受信部をさらにそなえ、
前記制御部は、受信した前記受信電力又は受信品質に関する情報に基づき、前記接続無線端末を前記隣接無線基地局へハンドオーバさせるか否かを決定するとともに、該隣接無線基地局が該接続無線端末を前記他隣接無線基地局へハンドオーバさせるか否かを判定する、ことを特徴とする、請求項１〜３のいずれか１項に記載の無線基地局。
【請求項５】
無線基地局であって、
前記無線基地局が該無線基地局に接続する無線端末を該無線基地局に隣接する隣接無線基地局へハンドオーバさせる条件である隣接無線基地局向けハンドオーバ条件を記憶する記憶部と、
前記隣接無線基地局向けハンドオーバ条件を前記無線基地局と該隣接無線基地局とに隣接する他隣接無線基地局に送信する送信部をそなえる、ことを特徴とする、無線基地局。
【請求項６】
少なくとも無線基地局を有する無線通信システムであって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する記憶部と、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる制御部とをそなえる、ことを特徴とする、無線通信システム。
【請求項７】
前記ハンドオーバさせる条件は、無線端末がハンドオーバ元の無線基地局から受信した無線信号の受信電力又は受信品質に関する情報と無線端末がハンドオーバ先の無線基地局から受信した無線信号の受信電力又は受信品質に関する情報との比較における重みを含む、ことを特徴とする、請求項６記載の無線通信システム。
【請求項８】
前記制御部は、該接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせないと前記隣接無線基地局間ハンドオーバ条件に基づいて判定した場合に、該接続無線端末を前記隣接無線基地局へハンドオーバさせる、ことを特徴とする、請求項６または７に記載の無線通信システム。
【請求項９】
前記接続無線端末が前記無線基地局，前記隣接無線基地局及び前記他隣接無線基地局のそれぞれから受信した無線信号の受信電力又は受信品質に関する情報を該接続無線端末から受信する受信部をさらにそなえ、
前記制御部は、受信した前記受信電力又は受信品質に関する情報に基づき、前記接続無線端末を前記隣接無線基地局へハンドオーバさせるか否かを決定するとともに、該隣接無線基地局が該接続無線端末を前記他隣接無線基地局へハンドオーバさせるか否かを判定する、ことを特徴とする、請求項６〜８のいずれか１項に記載の無線通信システム。
【請求項１０】
少なくとも無線基地局を有する無線通信システムであって、
前記無線基地局が該無線基地局に接続する無線端末を該無線基地局に隣接する隣接無線基地局へハンドオーバさせる条件である隣接無線基地局向けハンドオーバ条件を記憶する記憶部と、
前記隣接無線基地局向けハンドオーバ条件を前記無線基地局と該隣接無線基地局とに隣接する他隣接無線基地局に送信する送信部をそなえる、ことを特徴とする、無線通信システム。
【請求項１１】
少なくとも無線基地局を有する無線通信システムの通信制御方法であって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶し、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる、ことを特徴とする、通信制御方法。
【請求項１２】
少なくとも無線基地局を有する無線通信システムの通信制御方法であって、
前記無線基地局が該無線基地局に接続する無線端末を該無線基地局に隣接する隣接無線基地局へハンドオーバさせる条件である隣接無線基地局向けハンドオーバ条件を記憶し、
前記隣接無線基地局向けハンドオーバ条件を前記無線基地局と該隣接無線基地局とに隣接する他隣接無線基地局に送信する、ことを特徴とする、通信制御方法。
【請求項１３】
無線端末であって、
前記無線端末が接続する無線基地局と無線通信を行なう無線通信部と、
前記無線端末が接続する無線基地局が該無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する該無線基地局が、前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合、該他隣接無線基地局へハンドオーバする制御部とをそなえる、ことを特徴とする、無線端末。
【手続補正２】
【補正対象書類名】明細書
【補正対象項目名】０１４１
【補正方法】変更
【補正の内容】
【０１４１】
さらに、上述した実施形態では、無線基地局２がハンドオーバ制御の主体である例を用いて本発明を説明したが、無線端末４がハンドオーバ制御の主体であってもよい。この場合、例えば、無線端末４が、無線基地局２から各種の情報を受信し、受信した各種の情報に基づいて、図１６に例示したような制御フローを行なえばよい。
また、上述した実施形態では、無線基地局２−２あるいは２−３が第２のハンドオーバ条件に含まれる情報を無線基地局２−１へ通知する例を用いて本発明を説明したが、無線基地局２−２あるいは２−３は、自局２−２あるいは２−３に隣接する他の無線基地局へ第２のハンドオーバ条件に含まれる情報を通知してもよい。これにより、無線基地局２−２あるいは２−３と、無線基地局２−２あるいは２−３に隣接する他の無線基地局との間に位置する無線端末４に対しても同様のハンドオーバ制御を実施することが可能となる。
＜付記＞
以上の実施形態に関し、さらに以下の付記を開示する。
（付記１）
無線基地局であって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する記憶部と、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる制御部とをそなえる、ことを特徴とする、無線基地局。
（付記２）
前記ハンドオーバさせる条件は、無線端末がハンドオーバ元の無線基地局から受信した無線信号の受信電力又は受信品質に関する情報と無線端末がハンドオーバ先の無線基地局から受信した無線信号の受信電力又は受信品質に関する情報との比較における重みを含む、ことを特徴とする、付記１記載の無線基地局。
（付記３）
前記制御部は、該接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせないと前記隣接無線基地局間ハンドオーバ条件に基づいて判定した場合に、該接続無線端末を前記隣接無線基地局へハンドオーバさせる、ことを特徴とする、付記１または２に記載の無線基地局。
（付記４）
前記接続無線端末が前記無線基地局，前記隣接無線基地局及び前記他隣接無線基地局のそれぞれから受信した無線信号の受信電力又は受信品質に関する情報を該接続無線端末から受信する受信部をさらにそなえ、
前記制御部は、受信した前記受信電力又は受信品質に関する情報に基づき、前記接続無線端末を前記隣接無線基地局へハンドオーバさせるか否かを決定するとともに、該隣接無線基地局が該接続無線端末を前記他隣接無線基地局へハンドオーバさせるか否かを判定する、ことを特徴とする、付記１〜３のいずれか１項に記載の無線基地局。
（付記５）
前記受信部は、前記隣接無線基地局間ハンドオーバ条件あるいは前記隣接無線基地局向けハンドオーバ条件が変更されたタイミングで、前記隣接無線基地局又は前記他隣接無線基地局から前記隣接無線基地局間ハンドオーバ条件又は前記隣接無線基地局向けハンドオーバ条件に関する情報を受信する、ことを特徴とする、付記４記載の無線基地局。
（付記６）
前記隣接無線基地局向けハンドオーバ条件を前記他隣接無線基地局に送信する送信部をさらにそなえる、ことを特徴とする、付記１〜５のいずれか１項に記載の無線基地局。
（付記７）
無線基地局であって、
前記無線基地局が該無線基地局に接続する無線端末を該無線基地局に隣接する隣接無線基地局へハンドオーバさせる条件である隣接無線基地局向けハンドオーバ条件を記憶する記憶部と、
前記隣接無線基地局向けハンドオーバ条件を前記無線基地局と該隣接無線基地局とに隣接する他隣接無線基地局に送信する送信部をそなえる、ことを特徴とする、無線基地局。
（付記８）
少なくとも無線基地局を有する無線通信システムであって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する記憶部と、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる制御部とをそなえる、ことを特徴とする、無線通信システム。
（付記９）
前記ハンドオーバさせる条件は、無線端末がハンドオーバ元の無線基地局から受信した無線信号の受信電力又は受信品質に関する情報と無線端末がハンドオーバ先の無線基地局から受信した無線信号の受信電力又は受信品質に関する情報との比較における重みを含む、ことを特徴とする、付記８記載の無線通信システム。
（付記１０）
前記制御部は、該接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせないと前記隣接無線基地局間ハンドオーバ条件に基づいて判定した場合に、該接続無線端末を前記隣接無線基地局へハンドオーバさせる、ことを特徴とする、付記８または９に記載の無線通信システム。
（付記１１）
前記接続無線端末が前記無線基地局，前記隣接無線基地局及び前記他隣接無線基地局のそれぞれから受信した無線信号の受信電力又は受信品質に関する情報を該接続無線端末から受信する受信部をさらにそなえ、
前記制御部は、受信した前記受信電力又は受信品質に関する情報に基づき、前記接続無線端末を前記隣接無線基地局へハンドオーバさせるか否かを決定するとともに、該隣接無線基地局が該接続無線端末を前記他隣接無線基地局へハンドオーバさせるか否かを判定する、ことを特徴とする、付記８〜１０のいずれか１項に記載の無線通信システム。
（付記１２）
前記受信部は、前記隣接無線基地局間ハンドオーバ条件あるいは前記隣接無線基地局向けハンドオーバ条件が変更されたタイミングで、前記隣接無線基地局又は前記他隣接無線基地局から前記隣接無線基地局間ハンドオーバ条件又は前記隣接無線基地局向けハンドオーバ条件に関する情報を受信する、ことを特徴とする、付記１１記載の無線通信システム。
（付記１３）
前記隣接無線基地局向けハンドオーバ条件を前記他隣接無線基地局に送信する送信部をさらにそなえる、ことを特徴とする、付記８〜１２のいずれか１項に記載の無線通信システム。
（付記１４）
少なくとも無線基地局を有する無線通信システムであって、
前記無線基地局が該無線基地局に接続する無線端末を該無線基地局に隣接する隣接無線基地局へハンドオーバさせる条件である隣接無線基地局向けハンドオーバ条件を記憶する記憶部と、
前記隣接無線基地局向けハンドオーバ条件を前記無線基地局と該隣接無線基地局とに隣接する他隣接無線基地局に送信する送信部をそなえる、ことを特徴とする、無線通信システム。
（付記１５）
少なくとも無線基地局を有する無線通信システムの通信制御方法であって、
前記無線基地局が該無線基地局に接続する無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶し、
前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合に、該接続無線端末を該他隣接無線基地局へハンドオーバさせる、ことを特徴とする、通信制御方法。
（付記１６）
少なくとも無線基地局を有する無線通信システムの通信制御方法であって、
前記無線基地局が該無線基地局に接続する無線端末を該無線基地局に隣接する隣接無線基地局へハンドオーバさせる条件である隣接無線基地局向けハンドオーバ条件を記憶し、
前記隣接無線基地局向けハンドオーバ条件を前記無線基地局と該隣接無線基地局とに隣接する他隣接無線基地局に送信する、ことを特徴とする、通信制御方法。
（付記１７）
無線端末であって、
前記無線端末が接続する無線基地局と無線通信を行なう無線通信部と、
前記無線端末が接続する無線基地局が該無線端末を該無線基地局に隣接する隣接無線基地局へハンドオーバさせる条件である隣接無線基地局向けハンドオーバ条件と、前記隣接無線基地局が該隣接無線基地局に接続する無線端末を前記無線基地局と該隣接無線基地局とに隣接する他隣接無線基地局にハンドオーバさせる条件である隣接無線基地局間ハンドオーバ条件とを記憶する該無線基地局が、前記無線基地局に接続する無線端末である接続無線端末を前記隣接無線基地局へハンドオーバさせることを前記隣接無線基地局向けハンドオーバ条件に基づいて決定したときに、該隣接無線基地局が該接続無線端末を前記他隣接無線基地局へハンドオーバさせると前記隣接無線基地局間ハンドオーバ条件に基づいて判定した場合、該他隣接無線基地局へハンドオーバする制御部とをそなえる、ことを特徴とする、無線端末。
【国際調査報告】
2012127600.tif 000032
2012127600.tif 000033